(57)【特許請求の範囲】
【請求項１】
画像データ、当該画像データに関連して設定されている画像設定情報、医用画像管理装置の固有の施設設定情報、を含む医用画像情報を記憶する医用画像記憶手段と、
前記医用画像記憶手段に記憶されている医用画像情報のバックアップデータを記憶するデータ記憶手段と、
前記医用画像記憶手段に記憶されている医用画像情報を前記データ記憶手段にバックアップさせ、前記データ記憶手段に記憶されているバックアップデータを新たな医用画像記憶手段に記憶させる際、前記画像データを除いたバックアップデータを前記データ記憶手段から取得して前記新たな医用画像記憶手段に記憶させた後、バックグラウンドで前記画像データのバックアップデータを前記データ記憶手段から取得して前記新たな医用画像記憶手段に記憶させる制御手段と、
を備える、医用画像管理システム。
【請求項２】
前記画像データに基づく画像を表示する表示手段を備え、
前記制御手段は、
前記表示手段に前記画像を表示させる際、前記新たな医用画像記憶手段に前記表示手段に表示させる画像の画像データがない場合、前記データ記憶手段から前記表示手段に表示させる画像の画像データを参照し、当該参照した画像データに基づく画像を前記表示手段に表示させる、
請求項１に記載の医用画像管理システム。
【請求項３】
前記画像データは、当該画像データが圧縮された圧縮画像データと、当該画像データが圧縮されていない非圧縮画像データとを含み、
前記制御手段は、
前記データ記憶手段から前記画像データを参照する際、当該画像データの圧縮画像データを参照し、当該圧縮画像データに基づいて前記表示手段に画像を表示させる、
請求項２に記載の医用画像管理システム。
【請求項４】
前記表示手段に表示されている圧縮画像データに基づく画像に対して、前記非圧縮画像データに基づく画像の表示要求が入力される入力手段を備え、
前記制御手段は、
前記入力手段から前記非圧縮画像データに基づく画像の表示要求が入力された場合、
当該表示手段に表示されている圧縮画像データに基づく画像に対する前記データ記憶手段に記憶されている非圧縮画像データを参照し、当該非圧縮画像データに基づく画像を前記表示手段に表示させる、
請求項３に記載の医用画像管理システム。
【請求項５】
画像データ、当該画像データに関連して設定されている画像設定情報、医用画像管理装置の固有の施設設定情報、を含む医用画像情報を記憶する医用画像記憶手段と、前記医用画像記憶手段に記憶されている医用画像情報のバックアップデータを記憶するデータ記憶手段と、を備えた医用画像管理システムの医用画像管理方法において、
前記医用画像記憶手段に記憶されている医用画像情報を前記データ記憶手段にバックアップする工程と、
前記データ記憶手段に記憶されているバックアップデータを新たな医用画像記憶手段に記憶させる際、前記画像データを除いたバックアップデータを前記データ記憶手段から取得して前記新たな医用画像記憶手段に記憶させる工程と、
バックグラウンドで前記画像データのバックアップデータを前記データ記憶手段から取得して前記新たな医用画像記憶手段に記憶させる工程と、
を含む、医用画像管理方法。
【発明の詳細な説明】
【技術分野】
【０００１】
本発明は、医用画像管理システム及び医用画像管理方法に関する。
【背景技術】
【０００２】
近年、医療施設内でＣＴ、ＭＲ等のモダリティにより生成された画像データ、当該画像データの画像情報、患者情報等の医用画像情報は、ハードディスク等の記憶媒体に記憶され管理されている。そして、誤操作や誤更新等による医用画像情報の破損が発生した場合に備え、当該医用画像情報を復元するために他の記憶媒体に当該医用画像情報のバックアップコピーが行なわれ管理されている。
【０００３】
例えば、特許文献１には、記憶媒体に記憶された医用画像データベースのバックアップを行なう際、バックアップを行なう記憶媒体の情報も管理する医用画像データベース管理方法が開示されている。また、特許文献２には、バックアップメディアにバックアップされた医療情報を復元するため、患者の医療情報を患者の属する地域に対応して準備されたバックアップメディアに記録して管理する医療画像管理方法が開示されている。
【先行技術文献】
【特許文献】
【０００４】
【特許文献１】特開平１０−２２８４０１号公報
【特許文献２】特開２０００−１８１９７９号公報
【発明の概要】
【発明が解決しようとする課題】
【０００５】
しかしながら、医用画像情報を記憶している記憶媒体を備える医用画像管理装置が故障し、故障した医用画像管理装置を新たな医用画像管理装置に交換する場合、新たな医用画像管理装置に故障した医用画像管理装置の医用画像情報のバックアップデータを反映してからでないと、新たな医用画像管理装置を使用することができない。
【０００６】
この医用画像情報を反映する作業では、データ量の大きい画像データの反映作業時間に長時間要する。そのため、新たな医用画像管理装置が使用できないために故障した医用画像管理装置を使用するシステムが停止する期間が長時間にわたるという問題が生じている。
【０００７】
本発明の課題は、上記問題に鑑みて、医用画像管理装置を新たな医用画像管理装置に交換する場合に、当該新たな医用画像管理装置に交換された医用画像管理装置のバックアップデータを反映する際に生じる当該医用画像管理を使用するシステムの停止期間の短縮を図ることである。
【課題を解決するための手段】
【０００８】
請求項１に記載の発明は、画像データ、当該画像データに関連して設定されている画像設定情報、医用画像管理装置の固有の施設設定情報、を含む医用画像情報を記憶する医用画像記憶手段と、前記医用画像記憶手段に記憶されている医用画像情報のバックアップデータを記憶するデータ記憶手段と、前記医用画像記憶手段に記憶されている医用画像情報を前記データ記憶手段にバックアップさせ、前記データ記憶手段に記憶されているバックアップデータを新たな医用画像記憶手段に記憶させる際、前記画像データを除いたバックアップデータを前記データ記憶手段から取得して前記新たな医用画像記憶手段に記憶させた後、バックグラウンドで前記画像データのバックアップデータを前記データ記憶手段から取得して前記新たな医用画像記憶手段に記憶させる制御手段と、を備える、医用画像管理システムである。
【０００９】
請求項２に記載の発明は、請求項１に記載の医用画像管理システムにおいて、前記画像データに基づく画像を表示する表示手段を備え、前記制御手段は、前記表示手段に前記画像を表示させる際、前記新たな医用画像記憶手段に前記表示手段に表示させる画像の画像データがない場合、前記データ記憶手段から前記表示手段に表示させる画像の画像データを参照し、当該参照した画像データに基づく画像を前記表示手段に表示させる。
【００１０】
請求項３に記載の発明は、請求項２に記載の医用画像管理システムにおいて、前記画像データは、当該画像データが圧縮された圧縮画像データと、当該画像データが圧縮されていない非圧縮画像データとを含み、前記制御手段は、前記データ記憶手段から前記画像データを参照する際、当該画像データの圧縮画像データを参照し、当該圧縮画像データに基づいて前記表示手段に画像を表示させる。
【００１１】
請求項４に記載の発明は、請求項３に記載の医用画像管理システムにおいて、前記表示手段に表示されている圧縮画像データに基づく画像に対して、前記非圧縮画像データに基づく画像の表示要求が入力される入力手段を備え、前記制御手段は、前記入力手段から前記非圧縮画像データに基づく画像の表示要求が入力された場合、当該表示手段に表示されている圧縮画像データに基づく画像に対する前記データ記憶手段に記憶されている非圧縮画像データを参照し、当該非圧縮画像データに基づく画像を前記表示手段に表示させる。
【００１２】
請求項５に記載の発明は、画像データ、当該画像データに関連して設定されている画像設定情報、医用画像管理装置の固有の施設設定情報、を含む医用画像情報を記憶する医用画像記憶手段と、前記医用画像記憶手段に記憶されている医用画像情報のバックアップデータを記憶するデータ記憶手段と、を備えた医用画像管理システムの医用画像管理方法において、前記医用画像記憶手段に記憶されている医用画像情報を前記データ記憶手段にバックアップする工程と、前記データ記憶手段に記憶されているバックアップデータを新たな医用画像記憶手段に記憶させる際、前記画像データを除いたバックアップデータを前記データ記憶手段から取得して前記新たな医用画像記憶手段に記憶させる工程と、バックグラウンドで前記画像データのバックアップデータを前記データ記憶手段から取得して前記新たな医用画像記憶手段に記憶させる工程と、を含む、医用画像管理方法である。
【発明の効果】
【００１３】
本発明によれば、医用画像管理装置を新たな医用画像管理装置に交換する場合に、当該新たな医用画像管理装置に交換された医用画像管理装置のバックアップデータを反映する際に生じる当該医用画像管理装置を使用するシステムの停止期間の短縮を図ることができる。
【図面の簡単な説明】
【００１４】
【図１】本実施の形態における医用画像管理システムの概略構成図である。
【図２】医用画像管理装置の機能構成例を示す図である。
【図３】データバンクの機能構成の例を示す図である。
【図４】リストア処理のフローチャートである。
【図５】初期設定画面の例を示す図である。
【図６】データバンク設定画面の例を示す図である。
【図７】画像データのリストア処理が実行されている場合における画像データの表示処理の例のフローチャートである。
【図８】患者リスト画面の例を示す図である。
【図９】ビューア画面の例を示す図である。
【図１０】オリジナル画像の読込指示が入力される場合のビューア画面の例を示す図である。
【発明を実施するための形態】
【００１５】
以下、図を参照して本発明の実施の形態を詳細に説明する。
まず、構成を説明する。
【００１６】
〔医用画像管理システム１００の構成〕
図１に、本実施の形態における医用画像管理システムの概略構成図を示す。
図１に示すように、医用画像管理システム１００は、医療施設毎の施設内医用画像管理システム１０とデータバンク２０とがネットワークＮを介して相互にデータの送受信が可能に接続されて構成されている。
【００１７】
ネットワークＮは、ＬＡＮ（Local Area Network）、ＷＡＮ（Wide Area Network）としてもよく、また、電話回線網、ＩＳＤＮ（Integrated Services Digital Network）回線網、広帯域通信回線網、専用線、移動体通信網、通信衛星回線、ＣＡＴＶ（Community Antenna Television）回線、光通信回線、無線通信回線等と、それらを接続するインターネットサービスプロバイダなどを含む構成でもよい。
【００１８】
〔施設内医用画像管理システム１０の構成〕
施設内医用画像管理システム１０は、医療施設内毎に構築され、受付装置１、オーダ生成装置２、画像生成装置３、医用画像管理装置４等がＬＡＮ（Local Area Network）等の通信ネットワーク５を介して相互にデータの送受信が可能に接続されて構成されている。
【００１９】
通信ネットワークで用いられる通信方式としては、一般的に、ＤＩＣＯＭ（Digital Image and Communications in Medicine）規格が用いられており、ＬＡＮ接続された各装置間の通信では、ＤＩＣＯＭ  ＭＷＭ(Modality Worklist Management)やＤＩＣＯＭ  ＭＰＰＳ（Modality Performed Procedure Step）が用いられる。なお、本実施の形態に適用可能な通信方式はこれに限定されない。
【００２０】
受付装置１は、来院した患者の受付登録、会計計算、保険点数計算等を行うためのコンピュータ装置である。受付装置１は、ＣＰＵ（Central Processing Unit）等により構成される制御部、ＨＤＤ（Hard Disk Drive）やＲＡＭ等により構成される記憶部、キーボードやマウス等により構成される入力部、ＣＲＴ（Cathode Ray Tube）やＬＣＤ（Liquid Crystal Display）等により構成される表示部、通信ネットワーク５に接続された各装置との通信を制御する通信部（いずれも図示せず）等を備えて構成されている。
【００２１】
受付装置１は、入力部より受付入力画面の表示が指示されると、制御部と記憶部に記憶されたプログラムとの協働により、表示部に図示しない受付入力画面を表示する。この受付入力画面を介して入力部により受付情報（受付番号、患者氏名等）が入力されると、受付された患者の患者情報を作成（更新）して記憶部に記憶し、通信部により適宜医用画像管理装置４に対して送信する。患者情報としては、患者を識別するための患者識別情報（例えば、患者ＩＤ）、患者の氏名、性別、生年月日等の情報が含まれる。
【００２２】
オーダ生成装置２は、オペレータによる登録操作に応じて検査オーダ情報を生成する。オーダ生成装置２としては、例えば、ＨＩＳやＲＩＳ等を適用することができる。検査オーダ情報は、検査オーダ情報を識別するためのオーダＩＤ、検査日付、検査対象の患者情報（患者ＩＤ、患者氏名、性別、年齢等）、依頼医師名、画像生成装置（モダリティ）、検査コード等の情報を含む。検査コードは、検査内容（撮影する部位、方向、左右、予約手続記述、検査記述、シリーズ記述等）を示すコード値である。検査コードは、ＤＩＣＯＭ規格に準拠したものである。
オーダ生成装置２は、生成された検査オーダ情報を画像生成装置３と、医用画像管理装置４とに送信する。
【００２３】
画像生成装置３は、人体を撮影し、その撮影画像（医用画像）のデジタルデータ（以下、画像データと称す）を生成するものであり、例えばＣＲ（Computed Radiography）、ＦＰＤ（Flat Panel Detector ）、ＣＴ（Computed Tomography）、ＭＲＩ（Magnetic Resonance Imaging）、カセッテ専用の読取装置、フィルムディジタイザ等のモダリティを適用可能である。
【００２４】
画像生成装置３は、生成した画像データに患者情報や、検査情報、画像を識別するためのＵＩＤ（Unique ＩＤ）等の画像情報等の、画像データに関連して設定された画像設定情報をヘッダ情報として付加して医用画像管理装置４に送信する。
検査情報には、検査を識別するための検査識別情報（例えば、検査ＩＤ）、検査日、検査条件（検査部位、側性（左、右）、方向（例えば、上下方向（ＣＣ）、斜位方向（ＭＬＯ））、モダリティ種等の情報が含まれる。
【００２５】
なお、画像生成装置３は、ＤＩＣＯＭ規格に準拠した装置であり、生成した画像データに付帯させる各種情報、例えば、患者情報や検査情報を外部から入力可能であるとともに、自動生成することもできる。また、画像生成装置３がＤＩＣＯＭ規格に準拠していない場合には、図示しないＤＩＣＯＭ変換装置を用いて付帯情報を画像生成装置３に入力させることも可能である。
【００２６】
医用画像管理装置４は、画像生成装置３から送信された画像データを取り込んで医師による診断のために表示したり、外部に出力したりするコンピュータ装置である。また、医用画像管理装置４は、取り込んだ画像データを画像設定情報と対応付けて保存及び管理する。
【００２７】
〔医用画像管理装置４の構成〕
図２に、医用画像管理装置４の機能構成例を示す。
図２に示すように医用画像管理装置４は、制御部４１、ＲＡＭ４２、記憶部４３、操作部４４、表示部４５、第１通信部４６、第２通信部４７等を備えて構成されており、各部はバス４８により接続されている。
【００２８】
制御部４１は、ＣＰＵ（Central Processing Unit）等から構成され、医用画像管理装置４の各部の処理動作を統括的に制御する。具体的には、制御部４１は、操作部４４から入力される操作信号、第１通信部４６又は第２通信部４７により受信される指示信号に応じて、記憶部４３に記憶されている各種処理プログラムを読み出してＲＡＭ４２内に展開し、当該プログラムとの協働により各種処理を実行する。
【００２９】
また、制御部４１は、レプリケーション処理プログラムとミラーリング処理プログラム等を用いて、記憶部４３の画像設定情報領域４３１、施設設定情報領域４３２、画像データ領域４３３内にそれぞれ格納されている各種情報のコピーを、第２通信部４７からネットワークＮを介してデータバンク２０に送信して格納させ、画像設定情報領域４３１、施設設定情報領域４３２、画像データ領域４３３内にそれぞれ格納されている各種情報のバックアップを行っている。
【００３０】
画像設定情報領域４３１のバックアップは、レプリケーション処理プログラム、例えば、非同期マスタスレーブ・レプリケーション・システムとして一般的なＳｌｏｎｙ−Ｉを用いて実行される。このＳｌｏｎｙ−Ｉは、データの更新が発生すると、更新データをテーブルに記録、転送、更新の実行をすることによってレプリケーションを実現するものである。
【００３１】
施設設定情報領域４３２及び画像データ領域４３３のバックアップは、ミラーリング処理プログラムを用いて実行される。このミラーリング処理では、記憶部４３の施設設定情報領域４３２、画像データ領域４３３に記憶されている情報とデータバンク２０に格納されている情報との差分情報や、更新された情報が検知され、検知された差分情報や更新情報がデータバンク２０にコピーされる。
【００３２】
更に、本実施の形態の制御部４１は、施設内医用画像管理システムに設置されていた医用画像管理装置に替えて新たに自装置を設置する場合には、リストア処理を実行する。
【００３３】
リストア処理では、施設内医用画像管理システムに設置されていた医用画像管理装置のバックアップデータから画像データを除いたバックアップデータがデータバンク２０から取得され記憶部４３に記憶され、その後、画像データのリストア処理が実行される。
画像データのリストア処理では、バックグラウンドで画像データのバックアップデータがデータバンク２０から順次取得され、記憶部４３に記憶される。
【００３４】
画像データのリストア処理が実行されている期間において、画像データに基づく画像を表示部４５に表示させる際、医用画像管理装置４の記憶部４３に表示部４５に表示させる画像の画像データがない場合には、データバンク２０から表示部４５に表示させる画像の画像データが参照され、参照された画像データに基づく画像が表示部４５に表示される。
【００３５】
ＲＡＭ４２は、制御部４１により実行制御される各種処理において、記憶部４３から読み出された制御部４１で実行可能な各種プログラム、入力若しくは出力データ、及びパラメータ等を一時的に記憶する。
【００３６】
記憶部４３は、ＨＤＤ（Hard Disk Drive）や半導体の不揮発性メモリ等により構成される。記憶部４３は、前述のように各種プログラムを記憶しているほか、各種プログラムを実行するために必要なパラメータやデータを記憶している。
また、記憶部４３は、画像設定情報領域４３１、施設設定情報領域４３２、画像データ領域４３３を有しており、これら各領域に画像設定情報、施設設定情報、画像データをそれぞれ格納している。従って、記憶部４３は、画像設定情報、施設設定情報、画像データを含む医用画像情報を格納する医用画像記憶手段として機能する。
【００３７】
画像設定情報領域４３１は、生成された画像データに関連して設定された情報（画像設定情報）を格納する領域である。画像設定情報としては、例えば、患者情報、画像情報（各画像データのＵＩＤ、ファイル名、ファイル格納場所、ファイルサイズ、更新日時等）、検査オーダ情報等である。
【００３８】
施設設定情報領域４３２は、医用画像管理装置４の固有の情報（施設設定情報）を格納する領域である。施設設定情報領域４３２には、例えば、医用画像管理装置４が設置された施設内医用画像管理システムの識別情報（施設コード、パスワード等）、医用画像管理装置４の識別情報（製品番号、号機番号等）、医用画像管理装置４を使用するユーザ情報等が格納される。
【００３９】
画像データ領域４３３には、画像生成装置３において生成された画像データと画像データのＵＩＤとが対応付けられて格納されている。
【００４０】
操作部４４は、カーソルキー、数字入力キー、及び各種機能キー等を備えたキーボードと、マウス等のポインティングデバイスを備えて構成され、キーボードで押下操作されたキーの押下信号とマウスによる操作信号とを、入力信号として制御部４１に出力する。
【００４１】
表示部４５は、例えば、ＣＲＴ（Cathode Ray Tube）やＬＣＤ（Liquid Crystal Display）等のモニタを備えて構成されており、制御部４１から入力される表示信号の指示に従って、画像データに基づく画像を含む画面や各種画面を表示する表示手段として機能する。
【００４２】
第１通信部４６は、通信ネットワーク５に接続された外部機器、例えば、受付装置１、オーダ生成装置２、画像生成装置３等との間でデータの送受信を行う。
【００４３】
第２通信部４７は、ネットワークインターフェースカード（ＮＩＣ；Network Interface Card）、モデム（ＭＯＤＥＭ：MOdulator-DEModulator）、ＵＳＢ（Universal Serial Bus）等の各種インターフェースを備えて構成され、ネットワークＮ上のデータバンク２０と相互に情報の送受信を行う。
【００４４】
〔データバンク２０の構成〕
図３に、データバンク２０の機能構成の例を示す。
図３に示すように、データバンク２０は、制御部２１、記憶部２２、ＤＢ（DataBase）サーバ２３、ファイルサーバ２４、通信部２５等を備えて構成されており、各部はバス２６により接続されている。
【００４５】
制御部２１は、ＣＰＵ、ＲＡＭ等から構成され、データバンク２０の各部の処理動作を統括的に制御する。具体的には、ＣＰＵは、通信部２５により受信される指示信号に応じて、記憶部２２に記憶されている各種処理プログラムを読み出し、ＲＡＭ内に形成されたワークエリアに展開し、当該プログラムとの協働により各種処理を行う。
【００４６】
また、制御部２１は、レプリケーション処理プログラム等を用いて、ネットワークＮを介して接続された各医用画像管理装置の記憶部４３の画像設定情報領域４３１、施設設定情報領域４３２、画像データ領域４３３内に格納されている各種情報のコピーをバックアップデータとして取得する。そして、施設内医用画像管理システム毎（医用画像管理装置毎）に、画像設定情報をＤＢサーバ２３に、施設設定情報と画像データとをファイルサーバ２４に格納して、各システム（各医用画像管理装置）の各種情報のバックアップを行っている。即ち、制御部２１は、データバンク２０を医用画像管理装置の記憶部４３に記憶されている医用画像情報のバックアップデータを記憶するデータ記憶手段として機能させる。
なお、制御部２１でのレプリケーション処理は、医用画像管理装置４で用いた技術と同様の技術を用いて実現するものであるため、説明は省略する。
【００４７】
記憶部２２は、ハードディスク等から構成され、各種プログラム、当該プログラムの実行に必要なパラメータやファイル等を記憶している。
【００４８】
ＤＢサーバ２３は、ハードディスク等の不揮発性の大容量メモリ等から構成され、施設内医用画像管理システム毎（医用画像管理装置毎）に、画像設定情報を格納している。
【００４９】
ファイルサーバ２４は、ハードディスク等の不揮発性の大容量メモリ等から構成され、施設内医用画像管理システム毎（医用画像管理装置毎）に、施設設定情報と画像データとを格納している。ファイルサーバ２４に格納される画像データは、同一の画像データにおいて、予め設定された圧縮率で圧縮された圧縮画像データと、圧縮前の画像データ（非圧縮画像データ）とが含まれている。
【００５０】
通信部２５は、ネットワークインターフェースカード、モデム、ＵＳＢ等の各種インターフェースを備えて構成され、ネットワークＮ上の各施設内医用画像管理システムの医用画像管理装置４と相互に情報の送受信を行う。
【００５１】
次に、本実施の形態の動作を説明する。
〔リストア処理〕
図４に、本実施の形態におけるリストア処理のフローチャートを示す。
図４に示す処理は、医用画像管理装置の制御部４１とデータバンク２０の制御部２１との協働により実行される。
【００５２】
まず、医用画像管理装置４が故障すると、サービスマンが故障した医用画像管理装置に替えて新たな医用画像管理装置に交換する。そして、サービスマンによる操作部４４の操作によって入力された操作信号に基づいて、新たな医用画像管理装置の表示部４５に初期設定画面が表示される（ステップＳ１）。
【００５３】
図５に、初期設定画面の例を示す。
図５に示すように、初期設定画面Ｇ１００には、施設設定情報領域Ｅ１１０と、データバンクを使用するか否かを示すチェックボックスＢ１２０と、連携ＢＯＸを使用するか否かを示すチェックボックスＢ１３０とが設けられている。
施設設定情報領域Ｅ１１０には、施設内医用画像管理システム及び医用画像管理装置４の識別情報（施設識別情報）を入力する各種項目欄が含まれている。例えば、施設設定情報領域Ｅ１１０には、施設コード欄Ｅ１１１、パスワード欄Ｅ１１２、製品番号欄Ｅ１１３、号機番号欄Ｅ１１４等が設けられている。
【００５４】
操作部４４により、図１に示す初期設定画面Ｇ１００の施設設定情報領域Ｅ１１０に故障した医用画像管理装置の施設識別情報が入力され（ステップＳ２）、データバンクを使用するか否かを示すチェックボックスＢ１２０にチェックが入れられてデータバンクの使用する指示が入力されると（ステップＳ３）、データバンク設定画面が代替医用画像管理装置の表示部４５に表示される（ステップＳ４）。
【００５５】
図６に、データバンク設定画面の例を示す。
図６に示すように、データバンク設定画面Ｇ２００には、接続先設定領域Ｅ２１０と、リストア復旧領域Ｅ２２０と、が設けられている。
接続先設定領域Ｅ２１０には、データバンクに接続するための各種情報を入力する領域と、初期設定ボタンＢ２１１とが含まれている。
リストア復旧領域Ｅ２２０には、リストア開始ボタンＢ２２１が含まれている。
【００５６】
データバンク設定画面Ｇ２００において、接続先設定領域Ｅ２１０内に各種情報が入力された後、初期設定ボタンＢ２１１が押下されると、初期設定画面Ｇ１００において入力された施設設定情報とデータバンク設定画面Ｇ２００の接続先設定領域Ｅ２１０において入力された情報とに基づいて、データバンク２０を使用するための初期設定が行なわれる（ステップＳ５）。初期設定が完了すると、図６に示したリストア開始ボタンＢ２２１が有効となる。
【００５７】
有効となったリストア開始ボタンＢ２２１が押下されてリストア処理の開始指示が入力されると（ステップＳ６）、医用画像管理装置４からデータバンク２０へ、初期設定画面Ｇ１００において入力された施設設定情報を含むリストア要求情報が送信される（ステップＳ７）。
【００５８】
データバンク２０では、リストア要求情報を受信すると、制御部２１により、当該リストア要求情報に含まれる施設設定情報に対応する医用画像管理装置の画像設定情報と施設設定情報とが、ＤＢサーバ、ファイルサーバからそれぞれ読み出される。即ち、リストア要求情報に含まれる施設設定情報に対応する医用画像管理装置の医用画像情報のバックアップデータのうち、画像データを除くバックアップデータが読み出される。そして、読み出された画像設定情報と施設設定情報とがリストア要求情報の送信元である医用画像管理装置に送信される（ステップＳ８）。
【００５９】
医用画像管理装置４の制御部４１では、データバンク２０から画像設定情報及び施設設定情報が第２通信部４７を介して受信されると（ステップＳ９）、受信した画像設定情報を記憶部４３の画像設定情報領域４３１に、施設設定情報を記憶部４３の施設設定情報領域４３２にそれぞれ格納する。
【００６０】
制御部４１により画像設定情報及び施設設定情報の格納が完了すると、当該医用画像管理装置４は使用可能となり、操作部４４又は第１通信部４６から入力される指示に応じた各種処理が開始される。また、医用画像管理装置４が使用可能となると、制御部４１は、操作部４４又は第１通信部４６から入力される指示に応じた各種処理よりも低い優先順位（バックグランド）で、画像データのリストア処理の実行を開始する（ステップＳ１０）。
【００６１】
ステップＳ１０では、医用画像管理装置４の制御部４１が、バックグラウンドで、データバンク２０にバックアップされていた交換した医用画像管理装置の画像データの要求をデータバンク２０に送信し、データバンク２０の制御部２１が、医用画像管理装置４から要求された画像データを送信する。医用画像管理装置４の制御部４１は、データバンク２０から受信した画像データを、記憶部４３の画像データ領域４３３に順次ダウンロードすることにより、画像データのリストアを行なう。
【００６２】
医用画像管理装置の制御部４１は、画像データのリストア処理が完了したか否かを判別し（ステップＳ１１）、画像データのリストア処理が完了していない場合（ステップＳ１１；ＮＯ）、ステップＳ１０の処理に戻る。画像データのリストア処理が完了した場合（ステップＳ１１；ＹＥＳ）、リストア処理を終了する。
【００６３】
〔画像データのリストア処理中の表示処理〕
図７に、画像データのリストア処理が実行されている場合（図４のステップＳ１０〜１１）における画像データの表示処理の例のフローチャートを示す。図７に示す処理は、医用画像管理装置の制御部４１と各部との協働により実行される。
【００６４】
まず、医用画像管理装置の操作部４４に入力された操作信号に応じて、表示部４５に患者リスト画面が表示される（ステップＳ２１）。
【００６５】
図８に、患者リスト画面Ｇ３００の例を示す。
図８に示すように、患者リスト画面Ｇ３００には、患者情報表示領域Ｅ３１０と、患者リスト表示領域Ｅ３２０とが設けられている。
患者情報表示領域Ｅ３１０では、患者リスト表示領域Ｅ３２０に表示されている患者リストから選択された患者の患者情報が表示されたり、当該患者情報の修正が行なわれたりする。患者リスト表示領域Ｅ３２０には、患者毎に、診療日、受付時間、受付番号、診療科、担当医、患者ＩＤ、患者氏名、性別、生年月日、年齢等の患者情報が一覧として表示される。
【００６６】
患者リスト画面Ｇ３００の患者リスト表示領域Ｅ３２０において、いずれかの患者情報が操作部４４により選択され、ビューア画面の表示指定がなされると（ステップＳ２２）、表示指定された患者情報に基づくビューア画面を構成する画像の画像データが、医用画像管理装置４の記憶部４３にあるか否かが判別される（ステップＳ２３）。
【００６７】
表示指定された患者情報に基づくビューア画面を構成する画像の画像データが、医用画像管理装置４の記憶部４３にある場合（ステップＳ２３；ＹＥＳ）、医用画像管理装置４の記憶部４３の画像データ領域４３３から表示指定された患者情報に基づくビューア画面を構成する画像の画像データが読み出される（ステップＳ２４）。
【００６８】
記憶部４３から取得された画像データに基づいて、表示指定された患者情報のビューア画面が表示部４５に表示され（ステップＳ２５）、本処理が終了される。
【００６９】
表示指定された患者情報に基づくビューア画面を構成する画像の画像データが、医用画像管理装置４の記憶部４３にない場合（ステップＳ２３；ＮＯ）、データバンク２０のファイルサーバ２４に格納されている当該医用画像管理装置の画像データのうち表示指定された患者情報に基づくビューア画面を構成する画像の画像データの圧縮画像データが参照される（ステップＳ２６）。
【００７０】
データバンク２０から参照される圧縮画像データに基づいて、表示指定された患者情報のビューア画面が表示部４５に表示される（ステップＳ２７）。
【００７１】
図９に、ステップＳ２７において表示されるビューア画面の例を示す。
図９に示すように、ビューア画面Ｇ４００には、画像表示欄Ｅ４１１〜Ｅ４１４、各種ツール欄Ｅ４２０等が設けられている。
画像表示欄Ｅ４１１〜Ｅ４１４には、患者情報に対応する患者の圧縮画像データに基づく画像が表示される。従って、ステップＳ２７におけるビューア画面に表示される画像は、解像度の低い画像であることから、ユーザが当該画像を拡大したり読影を行なう場合等には、圧縮されていない画像データ（非圧縮画像データ）に基づく画像（オリジナル画像）の表示が所望される場合がある。
【００７２】
ビューア画面Ｇ４００上に表示されている画像のうち、オリジナル画像の表示を行う画像が選択され、オリジナル画像の読込指示の入力があるか否か判別される（ステップＳ２８）。
【００７３】
図１０に、オリジナル画像の読込指示が入力される場合のビューア画面の例を示す。
図１０に示すように、ビューア画面Ｇ４００では、画像表示領域Ｅ４１１〜Ｅ４１４に表示されている画像のうち、いずれかの画像が操作部４４により選択されると、コンテキストメニューＥ４３０が表示される。このコンテキストメニューＥ４３０には、選択された画像が圧縮画像データに基づく画像である場合にのみ有効となるオリジナル画像読込項目Ｂ４３１が含まれている。
このオリジナル画像読込項目Ｂ４３１が選択されることにより、オリジナル画像の読込指示が入力される。従って、オリジナル画像読込項目Ｂ４３１は、コンテキストメニューＥ４３０が表示された画像に対する非圧縮画像データに基づく画像の表示要求（オリジナル画像の読込指示）が入力される入力手段として機能する。
【００７４】
オリジナル画像の読込指示がある場合（ステップＳ２８；ＹＥＳ）、データバンク２０のファイルサーバ２４が参照され、当該医用画像管理装置の画像データのうち、オリジナル画像の読込指示がなされた画像の非圧縮画像データが取得され（ステップＳ２９）、取得された非圧縮画像データに基づくオリジナル画像が表示部４５に表示される（ステップＳ３０）。なお、オリジナル画像は、ビューア画面の画像表示領域、又は、別の画面に表示される。
【００７５】
ビューア画面を閉じる指示が操作部４４から入力されたか否かが判別され（ステップＳ３１）、ビューア画面を閉じる指示が入力されていない場合（ステップＳ３１；ＮＯ）、ステップＳ２８の処理に戻り、ビューア画面を閉じる指示が入力された場合（ステップＳ３１；ＹＥＳ）には、本処理が終了される。
【００７６】
以上のように、本実施の形態によれば、データバンク２０に記憶されているバックアップデータを医用画像管理装置４の記憶部４３に記憶させる際、画像データを除いたバックアップデータをデータバンク２０から取得して医用画像管理装置４の記憶部４３に記憶すれば、交換した新たな医用画像管理装置が使用可能となり、この使用可能となった医用画像管理装置のバックグラウンドで画像データのバックアップデータをデータ記憶手段から取得して医用画像管理装置に記憶させることができる。そのため、医用画像管理装置を新たな医用画像管理装置に交換する場合に、当該新たな医用画像管理装置に交換された医用画像管理装置のバックアップデータを反映する際に生じるデータ量の大きい画像データを反映する時間を省くことができ、医用画像管理装置及び当該医用画像管理装置を使用するシステム（施設内医用画像管理システム）の停止期間の短縮を図ることができる。
【００７７】
更に、画像データのリストア処理中であるため医用画像管理装置４の記憶部４３に表示部４５に表示させる画像の画像データがない場合には、データバンク２０から表示部４５に表示させる画像の画像データを参照し、参照した画像データに基づく画像を表示部４５のビューア画面に表示させることができる。
【００７８】
また、データバンク２０から表示部４５に表示させる画像の画像データを参照する場合、圧縮画像データを参照して表示部４５に画像を表示することができるため、画像の表示処理に要する制御負荷を低減でき、表示処理に要する時間を短縮できる。
【００７９】
更に、圧縮画像データに基づく画像に対して、非圧縮画像データに基づく画像の表示要求（オリジナルが像の読込指示）が入力された場合には、非圧縮画像データに基づく画像を表示部４５に表示させることができる。そのため、ユーザは、高解像度の画像を表示させたい場合等の必要に応じて、非圧縮画像データに基づいて表示された画像を確認することができる。
【００８０】
以上の説明では、本発明に係るプログラムのコンピュータ読み取り可能な媒体として記憶部４３を使用した例を開示したが、この例に限定されない。その他のコンピュータ読み取り可能な媒体として、フラッシュメモリ等の不揮発性メモリ、ＣＤ-ＲＯＭ等の可搬型記録媒体を適用することが可能である。また、本発明に係るプログラムのデータを通信回線を介して提供する媒体として、キャリアウエーブ(搬送波)も本発明に適用される。
【００８１】
また、本発明は、上記実施の形態の内容に限定されるものではなく、本発明の主旨を逸脱しない範囲で適宜変更可能である。
【符号の説明】
【００８２】
１  受付装置
２  オーダ生成装置
３  画像生成装置
４  医用画像管理装置
４１  制御部
４２  ＲＡＭ
４３  記憶部
４４  操作部
４５  表示部
４６  第１通信部
４７  第２通信部
４８  バス
４３１  画像設定情報領域
４３２  施設設定情報領域
４３３  画像データ領域
５  通信ネットワーク
１０  施設内医用画像管理システム
２０  データバンク
２１  制御部
２２  記憶部
２３  ＤＢサーバ
２４  ファイルサーバ
２５  通信部
２６  バス
１００  医用画像管理システム
Ｇ１００  初期設定画面
Ｅ１１０  施設設定情報領域
Ｅ１１１  施設コード欄
Ｅ１１２  パスワード欄
Ｅ１１３  製品番号欄
Ｅ１１４  号機番号欄
Ｂ１２０、Ｂ１３０  チェックボックス
Ｇ２００  データバンク設定画面
Ｅ２１０  接続先設定領域
Ｂ２１１  初期設定ボタン
Ｅ２２０  リストア復旧領域
Ｂ２２１  リストア開始ボタン
Ｇ３００  患者リスト画面
Ｅ３１０  患者情報表示領域
Ｅ３２０  患者リスト表示領域
Ｇ４００  ビューア画面
Ｅ４１１〜Ｅ４１４  画像表示欄
Ｅ４２０  各種ツール欄
Ｅ４３０  コンテキストメニュー
Ｂ４３１  オリジナル画像読込項目
Ｎ  ネットワーク
【図１】
0005509831.tif 000002
【図２】
0005509831.tif 000003
【図３】
0005509831.tif 000004
【図４】
0005509831.tif 000005
【図５】
0005509831.tif 000006
【図６】
0005509831.tif 000007
【図７】
0005509831.tif 000008
【図８】
0005509831.tif 000009
【図９】
0005509831.tif 000010
【図１０】
0005509831.tif 000011